(57)【要約】【課題】  本発明は、視覚障害者および晴眼者が同時に同等に使用することができるシステムを提供することにある。【解決手段】本発明のシステム１０は、グループウェア・サーバ１２とクライアントのコンピュータ１４を含む。グループウェア・サーバ１２とコンピュータ１４とはネットワーク１６を介して接続されている。接続する手段３０をはじめとして、本発明で開発したシステムの構成によって音声の入出力を最適におこなうことができる。【選択図】    図１
2005321906.tif 000002
【特許請求の範囲】
【請求項１】
グループウェア・サーバと該グループウェア・サーバの利用者のコンピュータとがネットワークを通じて接続されており、該コンピュータにおいて、音声の読み上げおよび音声による入力をおこなうためのシステムであって、
前記グループウェア・サーバを
前記コンピュータで使用するプログラムを記憶する手段、
前記プログラムをコンピュータで使用するときに、音声の入出力によって該プログラムの使用を補助する手段
として機能させ、
前記コンピュータを
前記プログラムを実行させる手段、
前記補助する手段を起動させる手段、
前記プログラムの内容を音声出力する手段、
前記プログラムに対して音声入力をおこなうための手段、
前記表示させる手段と音声出力する手段および音声入力をおこなうための手段を接続する手段、
として機能させるためのシステム。
【請求項２】
請求項１に記載のシステムであって、
前記利用者の認証をおこなう認証サーバを含み、
前記コンピュータを
前記利用者ごとに異なる個人データを抽出する手段と、
抽出された前記個人データを認証サーバに送信する手段
として機能させ、
前記認証サーバを
前記個人データを認証する手段と、
認証された前記個人データを送信したコンピュータに対して１回だけ使用できる個人データを発行する手段と、
前記１回だけ使用できる個人データをコンピュータに送信する手段と、
前記１回だけ使用できる個人データをグループウェア・サーバに送信する手段
として機能させるためのシステム。
【請求項３】
前記個人データが前記コンピュータと取り外しが可能なメモリに記憶されている請求項１または２に記載のシステム。
【請求項４】
前記メモリとコンピュータとを接続する延長ケーブルを含む請求項３に記載のシステム。
【請求項５】
請求項１乃至４に記載のシステムであって、
前記コンピュータを
前記１回だけ使用できる個人データを受信する手段と、
前記１回だけ使用できる個人データをグループウェア・サーバに送信する手段
として機能させ、
前記グループウェア・サーバを
前記１回だけ使用できる個人データを認証サーバおよびコンピュータから受信する手段と、
前記認証サーバおよびコンピュータからの前記１回だけ使用できる個人データの一致を問い合わせる手段と、
前記１回だけ使用できる個人データの一致を確認する手段と、
前記確認する手段で１回だけ使用できる個人データが一致した後に、前記プログラムの使用許可のデータをコンピュータに送信する手段
として機能させるためのシステム。
【発明の詳細な説明】
【技術範囲】
【０００１】
本発明は、視聴覚障害者のコンピュータの使用を補助するためのシステムに関するものである。
【背景技術】
【０００２】
近年、コンピュータの発達によって種々のプログラムやシステムが開発されている。その中には、視覚障害者のコンピュータ利用を補助するためのプログラムもある。
【０００３】
視覚障害者がコンピュータを利用するためのプログラムの一つとしては、スクリーン・リーダーと呼ばれるものがある。スクリーン・リーダーは、コンピュータの画面上の文字を音声出力するプログラムである（非特許文献１参照）。スクリーン・リーダーは、画面の上から順番に文字を読み上げる。視覚障害者は、読み上げられた音声を頼りにしてコンピュータの操作をおこなう。
【０００４】
また、音声認識プログラムも視覚障害者がコンピュータを利用するためのプログラムの一つである。音声認識プログラムは、コンピュータに接続されたマイクに入力された音声を解析し、音声にあった文字の入力や種々のプログラムの実行を補助する。キーボード操作が不慣れな視覚障害者は、音声入力プログラムによって、コンピュータを操作することができる。
【０００５】
スクリーン・リーダーや音声認識プログラムによって、視覚障害者の就業場を増やすことが期待される。
【０００６】
しかし、スクリーン・リーダーをインターネットのＷｅｂページを読み上げるのに使用した場合、Ｗｅｂページのソースファイルの上から順番に読み上げる。このため、必要な情報をなかなか得られない場合がある。何度も同じＷｅｂページにアクセスしても、アクセスするたびに上から順番に文字が読み上げられるため、無駄が多く、コンピュータの利用効率が下がる。また、Ｗｅｂページは、ブラウザで表示される文字の順番とソースファイルに記載された文字の順番が異なる場合がある。したがって、ソースファイルの上から順番に文字が読み上げられると、ブラウザに表示された文字を上から読み上げられないため、どこを読んでいるかわからない場合がある。
【０００７】
ネットワークを利用した複数ユーザの共同作業を支援し、業務の効率を高めるシステムとしてグループウェアがある。グループウェアを利用するためには、コンピュータを起動させたときに、セキュリティーのためにパスワードなどを入力する。
【０００８】
しかし、スクリーン・リーダーは、コンピュータのオペレーティングシステムが起動しないと動作しない。コンピュータを起動させたときにはオペレーティングシステムが起動していないのでスクリーン・リーダーは動作しない。スクリーン・リーダーによる読み上げがないため、視覚障害者は、パスワードを入力できない。また、音声認識プログラムもオペレーティングシステムが起動しないと動作しないため、パスワードを音声によっても入力できない。したがって、視覚障害者は、グループウェアを利用できない場合がある。
【０００９】
グループウェアを視覚障害者用に構成すると、晴眼者も視覚障害者のためのグループウェアを使用することになる。晴眼者にとっては不要な構成が多くなる。したがって、視覚障害者用のグループウェアの導入をためらう場合がある。
【００１０】
【非特許文献１】2000-'01パソコン用語事典  技術評論社  P317
【発明の開示】
【発明が解決しようとする課題】
【００１１】
本発明は、視覚障害者および晴眼者が同時に同等に使用することができるシステムを提供することにある。
【課題を解決するための手段】
【００１２】
本発明のシステムの要旨は、グループウェア・サーバと該グループウェア・サーバの利用者のコンピュータとがネットワークを通じて接続されており、該コンピュータにおいて、音声の読み上げおよび音声による入力をおこなうためのシステムであって、前記グループウェア・サーバを前記コンピュータで使用するプログラムを記憶する手段と、前記プログラムをコンピュータで使用するときに、音声の入出力によって該プログラムの使用を補助する手段として機能させ、前記コンピュータを前記プログラムを実行させる手段と、前記補助する手段を起動させる手段と、前記プログラムの内容を音声出力する手段と、前記プログラムに対して音声入力をおこなうための手段と、前記表示させる手段と音声出力する手段および音声入力をおこなうための手段を接続する手段として機能させることにある。
【００１３】
上記のシステムであって、前記利用者の認証をおこなう認証サーバを含み、前記コンピュータを前記利用者ごとに異なる個人データを抽出する手段と、抽出された前記個人データを認証サーバに送信する手段として機能させ、前記認証サーバを前記個人データを認証する手段と、認証された前記個人データを送信したコンピュータに対して１回だけ使用できる個人データを発行する手段と、前記１回だけ使用できる個人データをコンピュータに送信する手段と、前記１回だけ使用できる個人データをグループウェア・サーバに送信する手段として機能させることにある。
【００１４】
前記個人データは前記コンピュータと取り外しが可能なメモリに記憶されている。
【００１５】
前記メモリとコンピュータとを接続する延長ケーブルを含む。
【００１６】
上記のシステムであって、前記コンピュータを前記１回だけ使用できる個人データを受信する手段と、前記１回だけ使用できる個人データをグループウェア・サーバに送信する手段として機能させ、前記グループウェア・サーバを前記１回だけ使用できる個人データを認証サーバおよびコンピュータから受信する手段と、前記認証サーバおよびコンピュータからの前記１回だけ使用できる個人データの一致を問い合わせる手段と、前記１回だけ使用できる個人データの一致を問い合わせる手段と、前記１回だけ使用できる個人データの一致を確認する手段と、前記確認する手段で１回だけ使用できる個人データが一致した後に、前記プログラムの使用許可のデータをコンピュータに送信する手段として機能させることにある。
【発明の効果】
【００１７】
本発明は、補助する手段をグループウェア・サーバに設けており、各クライアントのコンピュータに設ける必要はない。起動する手段がクライアントのコンピュータに記憶されておれば、後はネットワークにコンピュータを接続することによって、グループウェアのプログラムが使用できる。
【００１８】
認証サーバを設け、個人データの認証によって、晴眼者と視覚障害者とを区別することができる。したがって、晴眼者のコンピュータには、上記の補助する手段を起動させる手段や音声出力する手段を省略することができる。
【００１９】
視覚障害者の個人データをコンピュータと取り外し可能なメモリに記憶することによって、コンピュータのオペレーティングシステムが起動する前にシステムにログインすることができる。
【００２０】
メモリとコンピュータとを延長ケーブルで接続するように構成することによって、視覚障害者が容易にメモリをケーブルを介してコンピュータに接続することができる。
【発明を実施するための最良の形態】
【００２１】
本発明の実施の形態について図面を用いて説明する。本発明のシステムは、晴眼者と視覚障害者とが使用できるグループウェアに使用される。本発明のシステムを構成する各手段は、サーバーやコンピュータの記憶装置に記憶されたプログラム（ソフトウェア）、データベース、データで構成される。プログラムなどによってコンピュータのＣＰＵ（Central Processing Unit）やその他のコンピュータ機器が動作する。また、通信をおこなうための送信する手段および受信する手段は、プログラム以外に通信機器も含める。
【００２２】
図１に示すように、本発明のシステム１０は、グループウェア・サーバ１２とクライアントのコンピュータ１４を含む。グループウェア・サーバ１２とコンピュータ１４とはネットワーク１６を介して接続されている。ネットワーク１６はインターネットやＬＡＮ（Local Area Network）である。
【００２３】
グループウェア・サーバ１２は、クライアントのコンピュータ１４で使用するプログラム１８を記憶する。システム１０は、グループウェア・サーバ１２を、コンピュータ１４でプログラム１８を使用するときに、音声の入出力によってプログラム１８の使用を補助する手段２０として機能させる。
【００２４】
コンピュータ１４で使用するプログラム１８は、グループウェアとして使用するプログラム１８である。プログラム１８は、電子メールやワークフロー管理などのプログラムである。
【００２５】
補助する手段２０は、グループウェアとして使用するプログラム１８のインターフェースとして機能する。補助する手段２０の一例としては、Ｆｌａｓｈ（米マクロメディア社製）を使用する。以下、符号２０は補助する手段またはＦｌａｓｈを示す。Ｆｌａｓｈ２０は、インターネットにおいて普及率が高いため、本発明において利用した。Ｆｌａｓｈ２０の中でｓｗｆファイルはムービーファイルであり、視覚障害者を音声で補助するのに役立つ。なお、補助する手段２０は、ネットワークで使用ができ、ネットワーク上で動作するプログラムのインターフェースとなるものであれば、他のプログラムであってもよい。
【００２６】
また、グループウェア・サーバ１２は、ネットワークを利用するためのプログラム３２を含む。
【００２７】
システム１０は、コンピュータ１４を、プログラム１８を実行させる手段２２と、補助する手段２０を起動させる手段２４と、プログラム１８の内容を音声出力する手段２６と、プログラム１８に対して音声入力をおこなうための手段２８と、実行させる手段２２と音声出力する手段２６および音声入力をおこなうための手段２８を接続する手段３０として機能させる。
【００２８】
プログラム１８を実行させる手段２２は、Ｗｅｂブラウザを使用する。Ｗｅｂブラウザ上でＦｌａｓｈ２０を介してグループウェアのプログラム１８が動作する。Ｗｅｂブラウザ上でデータなどの表示をおこなうために、ＸＭＬ（eXtensible Markup Language）を用いる。
【００２９】
一般的に、セキュリティーのために、グループウェア・サーバ１２に全てのＦｌａｓｈ２０のプログラムを記憶させておく。しかし、本発明では、セキュリティーとは関係のないＦｌａｓｈ２０を起動させるためのプログラム２４をクライアントのコンピュータ１４に記憶させておく。
【００３０】
また、グループウェア・サーバ１２のＦｌａｓｈ２０とそのＦｌａｓｈ２０を起動させるためのプログラム２４のインターフェース（Ｉ／Ｆ）部は、グループウェア・サーバ１２に記憶しておく。グループウェアのプログラム１８を使用するたびにグループウェア・サーバ１２からダウンロードするようにする。
【００３１】
音声出力する手段２６は、クライアントのコンピュータ１４のキーボードなどで選択したグループウェアのプログラム１８の内容を音声に変換し、音声出力する音声出力プログラム２６である。例えば、XP Reader（システムソリューションセンターとちぎ社製）などを使用する。
【００３２】
音声入力をおこなうための手段２８は、キーボードやマウスで入力する作業を音声によって行うことができる音声認識プログラムである。コンピュータ１４に接続されたマイクに向かって話すことにより、話の内容が入力される。この入力には、キーボードのリターンキーやマウスのクリックに相当するものも入る。音声認識プログラム２８としては、例えばAmiVoice（日立システムアンドサービス社製）を使用する。
【００３３】
接続する手段３０は、上記の音声出力プログラム２６や音声認識プログラム２８とＦｌａｓｈ２０との接続をおこなうプログラムである。上記の音声出力プログラム２６や音声認識プログラム２８はＦｌａｓｈ２０と直接接続した場合に、エラーなどが発生するため、本発明によって接続する手段３０を開発している。
【００３４】
接続する手段３０は、Ｆｌａｓｈとの接続部３６と、音声出力プログラム２６との接続をコントロールする接続部３８と、音声認識プログラム２８との接続をコントロールする接続部４０と、インターフェース・プログラム４２とを含む。インターフェース・プログラム４２は、上記Ｆｌａｓｈとの接続部３６と他の接続部３８，４０との接続をコントロールする。本発明は、この接続する手段３０によって、Ｆｌａｓｈ２０と音声認識プログラム２８などを最適に接続することができる。
【００３５】
その他、音声出力プログラム２６や音声認識プログラム２８には、他のプログラムとの接続用プログラム４４ａ，４４ｂ，４６を有する。
【００３６】
さらに、グループウェア・サーバ１２は、Ｗｅｂブラウザ２２で使用するための特別のカスタムタグ３４が記憶されている。カスタムタグ３４は、ＸＭＬによって定義されたものであり、Ｗｅｂブラウザ２２で使用するものである。そのカスタムタグ３４は、グループウェアのプログラム１８やＦｌａｓｈ２０を視覚障害者が使用しやすいようにするためのものである。例えば、グループウェアのプログラム１８の中で音声出力する場所を示すものである。
【００３７】
本発明は上記のように構成することによって、グループウェア・サーバ１２に記憶されたＦｌａｓｈ２０とユーザーのコンピュータ１４に記憶された音声出力プログラム２６などとを接続することができる。また、既存のプログラムに対して、本発明の接続する手段３０を追加しているので、既存のグループウェアに容易に導入ができる。
【００３８】
従来技術で説明したように、クライアントのコンピュータ１４のオペレーティングシステムが動作するまでは、音声出力プログラム２６や音声認識プログラム２８は動作しない。したがって、グループウェア・サーバ１２のプログラム１８を使用するためのパスワードなどを入力することができない。そこで、本発明では、その部分に関しても視覚障害者が使用できるように構成した。次に、視覚障害者がグループウェア・サーバ１２にプログラム１８の使用が許可されるためのシステム１０の構成を説明する。なお、図１で示されている構成は省略する。
【００３９】
図２に示すように、本発明のシステム１０は、利用者の認証をおこなう認証サーバ４８を含む。本発明のシステム１０は、認証サーバ４８を、個人データを認証する手段５０と、認証された個人データを送信したコンピュータ１４に対して１回だけ使用できる個人データ（以下、ワンタイムＩＤ・ＰＷと記載する）を発行する手段５２と、ワンタイムＩＤ・ＰＷをコンピュータ１４に送信する手段と、ワンタイムＩＤ・ＰＷをグループウェア・サーバ１２に送信する手段として機能させる。
【００４０】
個人データはＩＤ（Identification）番号やＰＷ（Password）である。認証サーバ４８は、認証する手段５０が個人データを認証するために、個人データをユーザー認証ＤＢ（データベース）５４に記憶しておく。このユーザー認証ＤＢ５４は、サーバの記憶装置に設けられたデータベースである。
【００４１】
ユーザー認証ＤＢ５４には、ワンタイムＩＤ・ＰＷも記憶する。ユーザー認証ＤＢ５４は、ワンタイムＩＤ・ＰＷが発行されるたびに、そのワンタイムＩＤ・ＰＷを記憶する。
【００４２】
クライアントが認証サーバ４８にログインするたびに、上記の発行する手段５２が、ワンタイムＩＤ・ＰＷを発行するため、本発明のシステム１０のセキュリティーが高くなる。
【００４３】
本発明のシステム１０は、コンピュータ１２を、利用者ごとに異なる個人データを抽出する抽出手段５６と、抽出された個人データを認証サーバに送信する手段として機能させる。
【００４４】
個人データは、コンピュータ１４と取り外しが可能なメモリ６０に記憶されている。メモリ６０としては、ＵＳＢ（Universal Serial Bus）メモリ・キーなどである。ＵＳＢメモリ・キー６０に個人データを記憶しておくことによって、ＩＤ番号などの入力は不要となる。すなわち、コンピュータ１４を起動させてオペレーティングシステムが起動するまでにＵＳＢメモリ・キー６０をコンピュータ１４に接続することによって、コンピュータ１４を使用可能となる。音声認識プログラム２８が起動しなくてもＩＤ番号などをコンピュータ１４にＵＳＢメモリ・キー６０から送ることができる。
【００４５】
また、ＵＳＢポートの位置は、コンピュータ１４ごとに異なるため、コンピュータ１４のＵＳＢポートに延長ケーブル６２を差し込み、延長ケーブル６２の先端にＵＳＢメモリ・キー６０を差し込むように構成してもよい。晴眼者がＵＳＢポートに延長ケーブル６２を差し込んでおくことによって、視覚障害者は手探りで延長ケーブル６２の先端にＵＳＢメモリ・キー６０を差し込むことができる。ＵＳＢポートを探すよりも延長ケーブル６２を探す方が簡単であり、視覚障害者にとって使用しやすいコンピュータ１４となる。
【００４６】
抽出手段５６は、Ｃ言語などで記載されたプログラムである。抽出手段５６は、ＵＳＢメモリ・キー６０がコンピュータ１４に接続されたことを認識する機能も含む。ＵＳＢメモリ・キー６０が接続されない場合は、コンピュータ１４の使用ができないようになる。
【００４７】
認証サーバ４８に送信する手段は、例えばＦｌａｓｈクライアント・コントローラ５８を使用する。Ｆｌａｓｈクライアント・コントローラ５８は、Ｆｌａｓｈ２０を構成するプログラムの一部である。なお、Ｆｌａｓｈクライアント・コントローラ５８以外に、通信をおこなうプログラムであれば他のプログラムであってもよい。
【００４８】
さらに、本発明のシステム１０は、コンピュータ１４を、ワンタイムＩＤ・ＰＷを受信する手段と、ワンタイムＩＤ・ＰＷをグループウェア・サーバ１２に送信する手段として機能させる。
【００４９】
ワンタイムＩＤ・ＰＷを受信する手段は、例えばＦｌａｓｈクライアント・コントローラ５８を使用する。Ｆｌａｓｈクライアント・コントローラ５８は、上記の認証サーバ４８に送信する手段とワンタイムＩＤ・ＰＷを受信する手段とを含むこととなる。なお、Ｆｌａｓｈクライアント・コントローラ５８以外に、通信をおこなうプログラムであれば他のプログラムであってもよい。
【００５０】
グループウェア・サーバ１２に送信する手段は、Ｆｌａｓｈクライアント・コントローラ５８内に設けたプログラムである。なお、この送信する手段は、Ｆｌａｓｈクライアント・コントローラ５８と分離して設けてもよい。
【００５１】
本発明のシステム１０は、グループウェア・サーバ１２を、ワンタイムＩＤ・ＰＷを認証サーバ４８から受信する手段と、ワンタイムＩＤ・ＰＷをコンピュータ１４から受信する手段と、認証サーバ４８およびコンピュータ１４からのワンタイムＩＤ・ＰＷの一致を問い合わせる手段６６と、ワンタイムＩＤ・ＰＷの一致を確認する手段６８と、確認する手段６８でワンタイムＩＤ・ＰＷが一致した後に、プログラム１８の使用許可のデータをコンピュータ１４に送信する手段として機能させる。
【００５２】
グループウェア・サーバ１２は、個人データやワンタイムＩＤ・ＰＷをユーザー認証ＤＢ７０に記憶する。ユーザー認証ＤＢ７０は、グループウェア・サーバ１２の記憶装置に設ける。グループウェア・サーバ１２は、ワンタイムＩＤ・ＰＷを認証サーバ４８から受信した後に、ワンタイムＩＤ・ＰＷを記憶する。
【００５３】
上記の問い合わせる手段６６は、例えばＦｌａｓｈユーザーインターフェースを使用する。Ｆｌａｓｈユーザーインターフェース以外のプログラムを使用してもよい。
【００５４】
上記の確認する手段６８は、グループウェアの１つの機能である。グループウェア以外に他のプログラムを設けてもよい。
【００５５】
その他、認証サーバ４８とグループウェア・サーバ１２に対して、個人データの記憶をおこなうためのコンピュータ７２を含む。認証サーバ４８において、個人データを記憶することによって、クライアントのコンピュータ１４から受信した個人データの認証をおこなうことができる。個人データの記憶は、Ｗｅｂブラウザでできるように、各サーバ４８，１２などにプログラムを記憶する。また、個人データの記憶をおこなうために、ＯＤＢＣ（Open Database Connectivity）を利用してもよい。
【００５６】
ＵＳＢメモリ・キー６０は、クライアントのコンピュータ１４に対してログインするためのログインデータも記憶する。
【００５７】
クライアントのコンピュータ１４は、ログインデータを認証するプログラム７４を含む。また、クライアントのコンピュータ１４は、抽出する手段５６からＦｌａｓｈクライアント・コントローラ５８へ個人データを転送する手段７６を含む。この転送する手段７６は、例えばＸＭＬ  ＳＯＣＫＥＴである。
【００５８】
次に、本発明のシステム１０において、クライアントが認証され、グループウェアが利用できるまでのステップを説明する。
【００５９】
（１）認証サーバ４８およびグループウェア・サーバ１２において、個人データの記憶をおこなう。その方法は、個人データの記憶をおこなうためのコンピュータ７２を介して認証サーバ４８およびグループウェア・サーバ１２にネットワークを介して接続する。接続した後、それぞれのサーバ１２，４８のユーザー認証ＤＢ５４，７０に個人データを記憶する。
【００６０】
（２）クライアントのコンピュータ１４を起動させ、コンピュータ１４にログインする。ログインの方法は、ＵＳＢメモリ・キー６０をコンピュータ１４に接続することによって、自動的にログインデータがクライアントのコンピュータ１４に送られる。クライアントのコンピュータ１４は、ログインデータを認証するプログラム７４によって、ユーザーの認証をおこなう。
【００６１】
（３）ＵＳＢメモリ・キー６０に記憶された個人データを、コンピュータ１４の抽出する手段５６が取り出す。
【００６２】
（４）抽出する手段５６が取り出した個人データを、転送する手段が取得７６し、Ｆｌａｓｈクライアント・コントローラ５８に転送する。
【００６３】
（５）Ｆｌａｓｈクライアント・コントローラ５８は、ネットワーク１６を介して個人データを認証サーバ４８に送信する。クライアントのコンピュータ１４は、、この個人データによって認証サーバ４８にログインされる。
【００６４】
（６）認証サーバ４８の認証する手段５０は、個人データを用いて、認証をおこなう。認証は、認証サーバ４８に記憶された個人データと受信した個人データとを比較することによっておこなう。
【００６５】
（７）認証の結果、受信した個人データが認証サーバ４８に記憶された個人データと一致した場合、認証サーバは認証を許可する。
【００６６】
（８）ワンタイムＩＤ・ＰＷを発行する手段５２がワンタイムＩＤ・ＰＷを発行する。ワンタイムＩＤ・ＰＷをコンピュータ１４に送信する手段は、ワンタイムＩＤ・ＰＷをユーザーのコンピュータ１４に送信する。
【００６７】
（９）認識サーバ４８は、ワンタイムＩＤ・ＰＷをユーザー認証ＤＢ５４に記憶する。
【００６８】
（１０）認証サーバ４８は、ワンタイムＩＤ・ＰＷをグループウェア・サーバ１２に送信し、グループウェア・サーバ１２はユーザ認証ＤＢ７０にワンタイムＩＤ・ＰＷを記憶する。したがって、認証サーバ４８とグループウェア・サーバ１２は同じデータを有するユーザー認証ＤＢ５４，７０を有することとなる。
【００６９】
（１１）クライアントのコンピュータ１４は、ワンタイムＩＤ・ＰＷをグループウェア・サーバ１２に送信し、グループウェア・サーバ１２にログインする。
【００７０】
（１２）グループウェア・サーバ１２のワンタイムＩＤ・ＰＷの一致を問い合わせる手段６６は、ユーザ認証ＤＢ７０に記憶したワンタイムＩＤ・ＰＷと受信したワンタイムＩＤ・ＰＷとが一致するかを問い合わせる。
【００７１】
（１３）ワンタイムＩＤ・ＰＷの一致を確認する手段６８は、ワンタイムＩＤ・ＰＷの一致を確認し、一致した場合にグループウェアのプログラム１８の使用許可のデータを生成する。
【００７２】
（１４）プログラム１８の使用許可のデータをコンピュータ１４に送信する手段は、使用許可のデータをコンピュータ１４に送信する。
【００７３】
以上の工程によって、クライアントのコンピュータ１４からグループウェアのプログラム１８が自動で使用可能となる。ＵＳＢメモリ・キー６０によって、コンピュータ１４のオペレーティングシステムが起動する前に、容易にグループウェア・サーバ１２にログインすることができる。サーバ１２にログインした後は、Ｗｅｂブラウザ上でＦｌａｓｈ２０を介してグループウェアのプログラム１８を使用することができる。
【００７４】
また、本発明の上記の構成は視覚障害者のための構成となっているが、それぞれのサーバ４８，１２のユーザー認証ＤＢ５４，７０に記憶する個人データを種々設定することによって、晴眼者も使用できるシステムであってもよい。例えば、個人データの中に晴眼者であるというデータを組み込むことによって、グループウェア・サーバ１２のＦｌａｓｈ２０を使用しない構成とする。したがって、Ｆｌａｓｈ２０のｓｗｆファイルなどはクライアントのコンピュータ１４に送信されない。本発明は、視覚障害者と晴眼者のためのシステムを別々に設けることは必要なく、視覚障害者が必要に応じてＦｌａｓｈ２０のインターフェースの機能を利用して音声入力と出力を行える構成である。
【００７５】
以上、本発明について説明したが本発明は上記の実施形態に限定されることはない。その他、本発明は、主旨を逸脱しない範囲で当業者の知識に基づき種々の改良、修正、変更を加えた態様で実施できるものである。
【図面の簡単な説明】
【００７６】
【図１】本発明のシステムの構成を示すブロック図である。
【図２】ＵＳＢメモリ・キーを使用した場合の認証の流れを示すブロック図である。
【符号の説明】
【００７７】
１０：システム
１２：グループウェア・サーバ
１４：コンピュータ
１６：ネットワーク
１８：グループウェアのプログラム
２０：Ｆｌａｓｈ（補助する手段）
２２：実行する手段
２４：起動する手段
２６：音声出力プログラム
２８：音声認識プログラム
３０：接続する手段
３２：ネットワーク用のプログラム
３４：カスタムタグ
３６：Ｆｌａｓｈと接続する手段
３８：音声出力の接続部
４０：音声認識の接続部
４２：インターフェース・プログラム
４４ａ，４４ｂ，４６：接続するためのプログラム
４８：認識サーバ
５０：認証する手段
５２：ワンタイムＩＤ・ＰＷを発行する手段
５４，７０：ユーザー認証ＤＢ
５６：抽出する手段
５８：Ｆｌａｓｈクライアント・コントローラ
６０：ＵＳＢメモリ・キー
６２：延長ケーブル
６４：Ｆｌａｓｈクライアント・コントローラ内のプログラム
６６：問い合わせる手段
６８：確認する手段
７２：ユーザー登録のためのコンピュータ
７４：ログインデータの認証プログラム
【図１】
2005321906.tif 000003
【図２】
2005321906.tif 000004